(57)【要約】【課題】運搬物の運搬履歴に関する情報を高い信頼性で管理可能な情報管理システムを得ること。【解決手段】管理対象物を運搬する際の状態に関する状態情報と、状態情報を生成した位置、日時に関する位置情報および日時情報とに基づいて、管理対象物の運搬に関する情報を管理する情報管理システム１において、運搬前の状態情報、位置情報および日時情報を結合して第１の管理対象物情報を生成し、運搬後の状態情報、位置情報および日時情報を結合して第２の管理対象物情報を生成する廃棄物情報取得装置１０と、第１の管理対象物情報および第２の管理対象物情報の生成日時および生成位置の証明に関する証明情報を生成する証明装置２０と、第１の管理対象物情報、第２の管理対象物情報および証明情報に基づいて、管理対象物が適正に運搬されたか否かを判断する情報管理装置３０と、を備える。【選択図】        図１
2007148790.tif 000002
【特許請求の範囲】
【請求項１】
管理対象物を運搬する際の状態に関する状態情報と、前記状態情報を生成した位置に関する位置情報および前記状態情報を生成した日時に関する日時情報とに基づいて、前記管理対象物の運搬に関する情報を管理する情報管理システムにおいて、
前記管理対象物の運搬前の状態情報、位置情報および日時情報を結合して第１の管理対象物情報を生成するとともに、前記管理対象物の運搬後の状態情報、位置情報および日時情報を結合して第２の管理対象物情報を生成する情報取得装置と、
前記情報取得装置が生成した第１の管理対象物情報および第２の管理対象物情報の生成日時および生成位置の証明に関する証明情報を生成する情報証明装置と、
前記情報取得装置が生成した第１の管理対象物情報、第２の管理対象物情報および前記情報証明装置が生成した証明情報に基づいて、前記管理対象物が適正に運搬されたか否かを判断する情報管理装置と、
を備えることを特徴とする情報管理システム。
【請求項２】
前記情報管理装置は、
前記第１の管理対象物情報内の位置情報および前記第２の管理対象物情報内の位置情報に基づいて、前記管理対象物が適正に運搬されたか否かを判断する判断部を備えることを特徴とする請求項１に記載の情報管理システム。
【請求項３】
前記判断部は、前記第１の管理対象物情報内の日時情報および前記第２の管理対象物情報内の日時情報に基づいて、前記管理対象物が適正に運搬されたか否かを判断することを特徴とする請求項２に記載の情報管理システム。
【請求項４】
前記判断部は、前記第１の管理対象物情報内の状態情報および前記第２の管理対象物情報内の状態情報に基づいて、前記管理対象物が適正に運搬されたか否かを判断することを特徴とする請求項２または３に記載の情報管理システム。
【請求項５】
前記情報管理装置は、前記証明情報が適正に生成されたものであるか否かの判断を前記情報証明装置に行わせ、前記証明装置の判断結果に基づいて前記管理対象物が適正に運搬されたか否かを判断することを特徴とする請求項１〜４のいずれか１つに記載の情報管理システム。
【請求項６】
前記情報管理装置は、前記第１の管理対象物情報、前記第２の管理対象物情報および前記管理対象物が適正に運搬されたか否かの判断結果を記憶する記憶部をさらに備え、前記情報管理装置と接続された外部通信装置からの要求に応じて、前記記憶部が記憶する第１の管理対象物情報、第２の管理対象物情報および／または判断結果を前記外部通信装置に送信することを特徴とする請求項１〜５のいずれか１つに記載の情報管理システム。
【請求項７】
前記証明装置は、前記管理対象物情報内の日時情報に応じた気象衛星画像を用いて前記証明情報を生成することを特徴とする請求項１〜６のいずれか１つに記載の情報管理システム。
【請求項８】
前記情報取得装置は、前記管理対象物を運搬する際の管理対象物を撮像する撮像部を備え、
前記情報取得装置は、前記状態情報を前記撮像部が撮像した前記管理対象物の撮像画像に基づいて生成することを特徴とする請求項１〜７のいずれか１つに記載の情報管理システム。
【請求項９】
前記情報取得装置は、前記管理対象物を運搬する際の管理対象物の重量を測定する重量測定部をさらに備え、
前記情報取得装置は、前記状態情報を前記重量測定部が測定した前記管理対象物の重量値に基づいて生成することを特徴とする請求項１〜８のいずれか１つに記載の情報管理システム。
【請求項１０】
前記撮像部は、前記管理対象物を運搬する際に前記重量測定部が示す測定値を撮像し、
前記情報取得装置は、前記状態情報を前記撮像部が撮像した測定値の撮像画像に基づいて生成することを特徴とする請求項９に記載の情報管理システム。
【請求項１１】
前記情報管理装置は、前記第１の管理対象物情報、前記第２の管理対象物情報および前記証明情報を取得した際の日時の証明に関する情報、および前記管理対象物が適正に運搬されたか否かを判断した際の日時の証明に関する情報を、前記情報証明装置から取得することを特徴とする請求項１〜１０のいずれか１つに記載の情報管理システム。
【請求項１２】
管理対象物を運搬する際の状態に関する状態情報と、前記状態情報を生成した位置に関する位置情報および前記状態情報を生成した日時に関する日時情報とに基づいて、前記管理対象物の運搬に関する情報を管理する情報管理装置において、
前記管理対象物の運搬前の状態情報、位置情報および日時情報からなる第１の管理対象物情報、前記管理対象物の運搬後の状態情報、位置情報および日時情報からなる第２の管理対象物情報および前記第１の管理対象物情報および第２の管理対象物情報の生成日時および生成位置の証明に関する証明情報に基づいて、前記管理対象物が適正に運搬されたか否かを判断する判断部を備えることを特徴とする情報管理装置。
【発明の詳細な説明】
【技術分野】
【０００１】
本発明は、運搬物の運搬履歴を追跡管理する情報管理システムおよび情報管理装置に関するものである。
【背景技術】
【０００２】
近年の産業の発達の代償として種々の環境問題が表面化しており、環境問題の影響範囲が生活環境レベルから遺伝子レベルへと拡大している。産業廃棄物の不法投棄もその一端を担ぐ環境問題であり、産業廃棄物が適切な処理をされずに山や川に不法投棄され、不法投棄された地域一帯に重大な影響を与えている。
【０００３】
そこで、政府は産業廃棄物を排出する排出事業者（以下、排出事業者という）と、廃棄物を運搬・処理する業者（廃棄物処理業者、廃棄物運搬業者）（以下、処理業者という）の間にマニフェスト（産業廃棄物管理伝票）を交付し、廃棄物が間違いなく処分されたか否かを確認、管理させる法律（産廃法）を制定した。この産廃法では処理業者に十分な過失があったとしても、排出事業者側でその事実を知るまたは知ることが可能であったならば、排出事業者側にも罰則が適用されることが明記されている（廃棄物の処理及び清掃に関する法律（第十九条の四の二、第十九条の五））。
【０００４】
従来、排出事業者は、マニフェストに基づいて産業廃棄物の処理を管理していた。ところが、処理業者において不正行為がなされると、排出事業者は産業廃棄物の管理を適正に行えなかった。このため、排出事業者は、産業廃棄物を処理業者に引き渡すだけではなく、産業廃棄物が最終処分に至るまで適正に処理されているか追跡管理する必要がある。
【０００５】
特許文献１に記載の廃棄物輸送監視方法は、輸送手段を用いた廃棄物の輸送に関する情報を取得する廃棄物輸送監視方法であって、所定の事象を検知する事象検知ステップと、事象検知ステップにおいて所定の事象を検知した場合に、輸送手段に関する情報、廃棄物に関する情報または輸送手段の外部環境に関する情報のいずれか１つ以上の情報を取得する輸送情報取得ステップと、輸送情報取得ステップにおいて取得した輸送情報を記録する輸送情報記録ステップと、によって廃棄物輸送を監視し悪意のある処理事業者の不法投棄を防いでいる。
【０００６】
【特許文献１】特開２００３−３１２８０８号公報
【発明の開示】
【発明が解決しようとする課題】
【０００７】
しかしながら、上記従来の技術では悪意のある処理業者によって捏造した画像データや位置データが監視システムに送られた場合に、廃棄物の位置情報、時刻情報、状況に関する情報等の正当性を立証することが困難であるという問題があった。
【０００８】
本発明は、上記に鑑みてなされたものであって、運搬物の運搬履歴に関する情報を高い信頼性で管理可能な情報管理システムおよび情報管理装置を得ることを目的とする。
【課題を解決するための手段】
【０００９】
上述した課題を解決し、目的を達成するために、本発明は、管理対象物を運搬する際の状態に関する状態情報と、前記状態情報を生成した位置に関する位置情報および前記状態情報を生成した日時に関する日時情報とに基づいて、前記管理対象物の運搬に関する情報を管理する情報管理システムにおいて、前記管理対象物の運搬前の状態情報、位置情報および日時情報を結合して第１の管理対象物情報を生成するとともに、前記管理対象物の運搬後の状態情報、位置情報および日時情報を結合して第２の管理対象物情報を生成する情報取得装置と、前記情報取得装置が生成した第１の管理対象物情報および第２の管理対象物情報の生成日時および生成位置の証明に関する証明情報を生成する情報証明装置と、前記情報取得装置が生成した第１の管理対象物情報、第２の管理対象物情報および前記情報証明装置が生成した証明情報に基づいて、前記管理対象物が適正に運搬されたか否かを判断する情報管理装置と、を備えることを特徴とする。
【発明の効果】
【００１０】
この発明によれば、情報管理装置が証明情報に基づいて管理対象物を運搬する際の情報を管理するので、管理対象物の運搬履歴に関する情報の信頼性を高めて管理することが可能になるという効果を奏する。
【発明を実施するための最良の形態】
【００１１】
以下に、本発明にかかる情報管理システムおよび情報管理装置の実施の形態を図面に基づいて詳細に説明する。なお、この実施の形態によりこの発明が限定されるものではない。
【００１２】
実施の形態
図１は、本発明の実施の形態にかかる廃棄物情報管理システムの構成を示す図である。廃棄物情報管理システム１は、産業廃棄物（以下、廃棄物という）等の位置、状態、日時に関する情報を追跡管理するシステムであり、廃棄物情報取得装置（情報取得装置）１０、証明装置２０、情報管理装置３０、問合せ端末４０からなる。
【００１３】
証明装置２０、情報管理装置３０、問合せ端末４０は、例えば無線通信ネットワークやインターネット等によって接続され情報の送受信を行う。また、廃棄物情報取得装置１０は、例えば移動無線通信によって証明装置（情報証明装置）２０、情報管理装置３０、問合せ端末４０と情報の送受信を行う。
【００１４】
廃棄物情報取得装置１０は、廃棄物の運搬業者等が用いる運搬車両等の運搬装置に備えられる装置であり、廃棄物の状態に関する情報（以下、状態情報という）を生成する。廃棄物情報取得装置１０は、生成した状態情報と、この状態情報を生成した位置に関する情報（以下、位置情報という）、状態情報を生成した日時（以下、日時情報という）に関する情報を結合し、廃棄物情報として記憶する。
【００１５】
廃棄物情報取得装置１０は、生成した廃棄物情報を証明装置２０に送信し、証明装置２０から廃棄物情報の生成日時、生成位置を証明する情報（以下、証明情報という）を取得する。廃棄物情報取得装置１０は、廃棄物の運搬前および運搬後等に廃棄物情報を生成し、証明装置２０から証明情報を取得する。廃棄物情報取得装置１０は、問合せ端末４０の使用者である廃棄物の排出事業者から依頼された廃棄物を識別する情報（以下、廃棄物識別情報という）と、廃棄物情報、証明情報を対応付けて情報管理装置３０に送信する。
【００１６】
証明装置２０は、廃棄物情報取得装置１０から受信した廃棄物情報に対して証明情報を生成し、生成した証明情報を廃棄物情報取得装置１０に送信する装置である。証明装置２０は、例えば気象衛星が撮像した気象衛星画像を用いて、証明情報を生成する。証明装置２０は、廃棄物情報内の日時情報に基づいて、廃棄物情報が生成された日時に対応する気象衛星画像を符号化し、証明情報を生成する。ここでの証明情報は、各廃棄物情報に対して生成されるものであり、証明情報内には廃棄物情報を識別する情報が分離できないように付加されている。証明情報は、例えばＱＲ（Quick Response）コード等の２次元コード等によって構成されている。
【００１７】
情報管理装置３０は、廃棄物情報取得装置１０から送信される廃棄物情報、証明情報、廃棄物識別情報を受信するとともにこれらを対応付けて記憶する。情報管理装置３０は、廃棄物情報取得装置１０から受信した廃棄物情報や証明情報が改ざんや捏造等されたものでないことを、証明装置２０に問合せて検証する。情報管理装置３０は、廃棄物情報取得装置１０から受信した廃棄物情報に基づいて、廃棄物情報に対応する廃棄物が適正に運搬されたか否かの判断を行う。
【００１８】
問合せ端末４０は、必要に応じて情報管理装置３０に廃棄物処理の運搬履歴等を問い合わせる通信端末である。問合せ端末４０は、予め廃棄物情報取得装置１０から廃棄物識別情報を取得しておき、この廃棄物識別情報に基づいて所望の廃棄物に関する運搬履歴を情報管理装置３０に問い合わせる。
【００１９】
つぎに、廃棄物情報取得装置１０の構成を説明する。図２は、廃棄物情報取得装置の構成を示すブロック図である。廃棄物情報取得装置１０は、通信Ｉ／Ｆ部１１、位置情報取得部１２、撮像部１３、重量測定部１４、記憶部１５、廃棄物情報生成部１６、日時測定部１７、制御部１９からなる。
【００２０】
通信Ｉ／Ｆ部１１は、証明装置２０、情報管理装置３０、問合せ端末４０と通信を行う通信インタフェースである。証明装置２０へは、通信Ｉ／Ｆ部１１を介して廃棄物情報を送信し、証明装置２０から通信Ｉ／Ｆ部１１を介して証明情報を受信する。また、情報管理装置３０へは、通信Ｉ／Ｆ部１１を介して廃棄物情報、証明情報、廃棄物識別情報を送信する。また、問合せ端末４０と通信Ｉ／Ｆ部１１を介して廃棄物識別情報の送受信を行う。
【００２１】
重量測定部１４は、ロードセル（荷重変換器）、傾斜検知センサ等を備えて構成され、廃棄物情報取得装置１０が設置される運搬車両等に積載される廃棄物の重量を測定する。重量測定部１４は、液晶ディスプレイ等の表示機能を備えており、測定した廃棄物の重量を液晶ディスプレイ等に表示する。
【００２２】
撮像部１３は、デジタルカメラ、デジタルカメラを備えた携帯電話等を備えて構成され、廃棄物の状態を撮像して状態情報を生成する。撮像部１３は、廃棄物の運搬前（運搬開始直後）の状態、廃棄物の運搬後（運搬終了直前）の状態、重量測定部１４が示す廃棄物重量の値を撮像する。撮像部１３は、撮像した画像を状態情報として廃棄物情報生成部１６に入力する。
【００２３】
位置情報取得部１２は、ＧＰＳ（Global Positioning System）機能等を備えて構成され、撮像部１３が状態情報を生成する際の廃棄物情報取得装置１０の位置を検出する。位置情報取得部１２は、検出した位置に基づいて位置情報を生成し廃棄物情報生成部１６に入力する。
【００２４】
日時測定部１７は、時計機能やカレンダ機能等を備えて構成され、撮像部１３が状態情報を生成する際の日時（日付、時刻等）を測定する。日時測定部１７は、測定した日時に基づいて日時情報を生成し廃棄物情報生成部１６に入力する。
【００２５】
廃棄物情報生成部１６は、撮像部１３からの状態情報、位置情報取得部１２からの位置情報、日時測定部１７からの日時情報を用いて廃棄物情報を生成する。廃棄物情報生成部１６は、状態情報、位置情報、日時情報を結合し、廃棄物情報を生成する。
【００２６】
記憶部１５は、廃棄物情報生成部１６が生成した廃棄物情報と、この廃棄物情報に対応する廃棄物識別情報を記憶する。制御部１９は、通信Ｉ／Ｆ部１１、位置情報取得部１２、撮像部１３、重量測定部１４、記憶部１５、廃棄物情報生成部１６、日時測定部１７を制御する。
【００２７】
つぎに、情報管理装置３０の構成を説明する。図３は、情報管理装置の構成を示すブロック図である。情報管理装置３０は、通信Ｉ／Ｆ部３１、比較部（判断部）３２、記憶部３３、解析部３４、制御部３９からなる。
【００２８】
通信Ｉ／Ｆ部３１は、廃棄物情報取得装置１０、証明装置２０、問合せ端末４０と通信を行う通信インタフェースである。廃棄物情報取得装置１０からは、通信Ｉ／Ｆ部３１を介して廃棄物情報、証明情報、廃棄物識別情報を受信する。また、証明装置２０と通信Ｉ／Ｆ部３１を介して、証明情報に改ざんや捏造がないかを確認するための情報を送受信する。また、問合せ端末４０に通信Ｉ／Ｆ部３１を介して廃棄物情報、証明情報、廃棄物識別情報に基づいて生成する廃棄物の管理に関する情報（後述する廃棄物情報管理テーブル１０１）を送信する。
【００２９】
比較部３２は、廃棄物情報取得装置１０から送信される廃棄物運搬前の廃棄物情報（第１の管理対象物情報）、廃棄物運搬後の廃棄物情報（第２の管理対象物情報）を比較し、廃棄物情報に対応する廃棄物が適正に運搬されたか否かの判断を行う。比較部３２は、スキャナ等を備えて構成され、廃棄物情報取得装置１０から送信される状態情報（廃棄物の重量の測定値の画像）を取り込むとともに、取り込んだ画像から廃棄物の重量の測定値を抽出する。比較部３２は、廃棄物の重量の測定値（運搬前の測定値と運搬後の測定値）を比較して廃棄物が適正に運搬されたか否かの判断を行う。
【００３０】
解析部３４は、廃棄物情報取得装置１０から受信した証明情報が改ざんや捏造等されたものでないことを、証明装置２０に問合わせる。解析部３４は、廃棄物情報取得装置１０から受信した廃棄物情報が証明情報に対応する情報であるか否かに基づいて、廃棄物情報の位置情報や日時情報が改ざん等されたものであるか否かを判断する。解析部３４は、廃棄物情報や証明情報が改ざん等されたものであるか否かの判断結果を、廃棄物情報等に対応付けて記憶部３３に記憶させる。
【００３１】
記憶部３３は、廃棄物情報取得装置１０から受信した廃棄物情報、証明情報、廃棄物識別情報、比較部３２や解析部３４の判断結果を対応付けて、廃棄物情報管理テーブル１０１を生成し記憶する。制御部３９は、通信Ｉ／Ｆ部３１、比較部３２、記憶部３３、解析部３４を制御する。
【００３２】
つぎに、廃棄物情報管理システム１の処理手順を説明する。図４は、情報管理システムの処理手順を示すフローチャートである。排出事業者は、運搬処理業者に所定の廃棄物の運搬を依頼する。運搬処理業者は、排出事業者から依頼された廃棄物を運搬車両等に荷積みする（ステップＳ１００）。このとき、廃棄物情報取得装置１０に、運搬する廃棄物に対応する廃棄物識別情報を入力する。廃棄物識別情報は、運搬処理業者（廃棄物情報取得装置１０の使用者）が、キーボードやマウス等の情報入力手段（図示せず）によって廃棄物情報取得装置１０に入力してもよいし、問合せ端末４０等の排出事業者側の装置から廃棄物情報取得装置１０に送信することとしてもよい。廃棄物識別情報を情報入力手段から廃棄物情報取得装置１０に入力した場合には、この廃棄物識別情報を問合せ端末４０に送信しておく。問合せ端末４０は、廃棄物情報取得装置１０に送信した廃棄物識別情報または廃棄物情報取得装置１０から受信した廃棄物識別情報を記憶しておく。廃棄物情報取得装置１０は、入力された廃棄物識別情報を記憶部１５に記憶させる。
【００３３】
廃棄物が運搬車両等に荷積みされると、重量測定部１４は荷積みされた廃棄物の重量を測定する（ステップＳ１１０）。このとき、例えば廃棄物情報取得装置１０の使用者が情報入力手段から重量測定を行う指示情報を入力することによって、重量測定部１４は廃棄物の重量を測定する。重量測定部１４は、廃棄物の重量の測定値を液晶ディスプレイ等に表示する。
【００３４】
撮像部１３は、重量測定部１４が表示する廃棄物の重量の測定値を撮像する。撮像部１３は、撮像した廃棄物重量の測定値の画像を状態情報として廃棄物情報生成部１６に入力する。また、撮像部１３は運搬車両等に荷積みされた廃棄物（廃棄物の状態）を撮像する（ステップＳ１２０）。撮像部１３は、撮像した廃棄物の画像を状態情報として廃棄物情報生成部１６に入力する。
【００３５】
位置情報取得部１２は、廃棄物重量の測定値や廃棄物の状態が撮像された位置に関する情報をＧＰＳ機能等によって取得し、取得した位置に関する情報を位置情報として廃棄物情報生成部１６に入力する（ステップＳ１３０）。
【００３６】
日時測定部１７は、廃棄物重量の測定値や廃棄物の状態が撮像された日時に関する情報を日時情報として廃棄物情報生成部１６に入力する（ステップＳ１４０）。廃棄物情報生成部１６は、撮像部１３からの状態情報、位置情報取得部１２からの位置情報、日時測定部１７からの日時情報を用いて廃棄物情報を生成する。廃棄物情報生成部１６は、状態情報、位置情報、日時情報を結合し、廃棄物情報を生成する。廃棄物情報取得装置１０は、廃棄物情報生成部１６が生成した廃棄物情報を通信Ｉ／Ｆ部１１を介して証明装置２０に送信する（ステップＳ１５０）。
【００３７】
証明装置２０は、廃棄物情報取得装置１０から受信した廃棄物情報に対して証明情報を生成する。証明装置２０は、例えば廃棄物情報内の日時情報に基づいて、廃棄物情報が生成された日時の気象衛星画像を符号化し証明情報を生成する。証明情報内には廃棄物情報を識別する情報や気象衛星画像を撮影した日時に関する情報が、証明情報と分離できないように付加されている。証明装置２０は、生成した証明情報を廃棄物情報取得装置１０に送信する。廃棄物情報取得装置１０は、証明装置２０からの証明情報を通信Ｉ／Ｆ部１１を介して受信する（ステップＳ１６０）。
【００３８】
廃棄物情報取得装置１０は、証明情報に対応する廃棄物情報と廃棄物識別情報を、証明情報とともに通信Ｉ／Ｆ部１１を介して情報管理装置３０に送信する（ステップＳ１７０）。
【００３９】
情報管理装置３０は、廃棄物情報取得装置１０から送信される証明情報、廃棄物情報、廃棄物識別情報を通信Ｉ／Ｆ部３１を介して受信する。情報管理装置３０は、廃棄物情報取得装置１０から受信した証明情報、廃棄物情報、廃棄物識別情報を対応付けて記憶部３３に記憶する。
【００４０】
この後、廃棄物情報取得装置１０が設置された運搬車両等は、荷積みされた廃棄物を所定の目的地（例えば、廃棄物の中間処理業者や廃棄物の最終処理業者）まで運搬する（ステップＳ１８０）。
【００４１】
廃棄物の運搬車両等が、目的地まで廃棄物を運搬すると、廃棄物情報取得装置１０はステップＳ１１０〜Ｓ１７０の処理と同様の処理（後述するステップＳ１９０〜Ｓ２５０の処理）によって、廃棄物情報、証明情報、廃棄物識別情報を情報管理装置３０に送信する。すなわち、廃棄物情報取得装置１０の重量測定部１４は、運搬後の廃棄物の重量を測定し（ステップＳ１９０）、廃棄物の重量の測定値を液晶ディスプレイ等に表示する。このとき、例えば廃棄物情報取得装置１０の使用者が情報入力手段から重量測定を行う指示情報を入力することによって、重量測定部１４は廃棄物の重量を測定する。
【００４２】
撮像部１３は、重量測定部１４が表示する廃棄物の重量の測定値を撮像する。撮像部１３は、撮像した廃棄物重量の測定値の画像を状態情報として廃棄物情報生成部１６に入力する。
【００４３】
撮像部１３は運搬後の廃棄物を撮像する（ステップＳ２００）。撮像部１３は、撮像した廃棄物の画像を状態情報として廃棄物情報生成部１６に入力する。
【００４４】
位置情報取得部１２は、廃棄物重量の測定値や廃棄物の状態が撮像された位置に関する情報をＧＰＳ機能等によって取得し、取得した位置に関する情報を位置情報として廃棄物情報生成部１６に入力する（ステップＳ２１０）。日時測定部１７は、廃棄物重量の測定値や廃棄物の状態が撮像された日時に関する情報を日時情報として廃棄物情報生成部１６に入力する（ステップＳ２２０）。
【００４５】
廃棄物情報生成部１６は、撮像部１３からの状態情報、位置情報取得部１２からの位置情報、日時測定部１７からの日時情報を用いて廃棄物情報を生成する。廃棄物情報取得装置１０は、廃棄物情報生成部１６が生成した廃棄物情報を通信Ｉ／Ｆ部１１を介して証明装置２０に送信する（ステップＳ２３０）。
【００４６】
証明装置２０は、廃棄物情報取得装置１０から受信した廃棄物情報に対して証明情報を生成し、生成した証明情報を廃棄物情報取得装置１０に送信する。廃棄物情報取得装置１０は、証明装置２０からの証明情報を通信Ｉ／Ｆ部１１を介して受信する（ステップＳ２４０）。
【００４７】
廃棄物情報取得装置１０は、証明情報に対応する廃棄物情報と廃棄物識別情報を、証明情報とともに通信Ｉ／Ｆ部１１を介して情報管理装置３０に送信する（ステップＳ２５０）。
【００４８】
情報管理装置３０は、廃棄物情報取得装置１０から送信される証明情報、廃棄物情報、廃棄物識別情報を通信Ｉ／Ｆ部３１を介して受信する。情報管理装置３０は、廃棄物情報取得装置１０から受信した証明情報、廃棄物情報、廃棄物識別情報を対応付けて記憶部３３に記憶する。
【００４９】
情報管理装置３０は、廃棄物の運搬前に廃棄物情報取得装置１０から受信した証明情報、廃棄物情報、廃棄物識別情報と、廃棄物の運搬後に廃棄物情報取得装置１０から受信した証明情報、廃棄物情報、廃棄物識別情報を対応付けし、廃棄物情報管理テーブル１０１として記憶部３３に記憶する。
【００５０】
ここで、廃棄物情報管理テーブル１０１の構成を説明する。図５は、廃棄物情報管理テーブルの構成の一例を示す図である。廃棄物情報管理テーブル１０１は、廃棄物識別情報、運搬前の証明情報と廃棄物情報、運搬後の証明情報と廃棄物情報によって構成されている。ここでは、廃棄物識別情報が「０００１」と「０００２」である場合を示している。
【００５１】
廃棄物情報は、日時情報、位置情報、状態情報を含んでいる。廃棄物情報管理テーブル１０１の「日時」の項目は日時情報に対応し、「位置」の項目は位置情報に対応する。また、廃棄物情報管理テーブル１０１の「画像」の項目と「重量」の項目が状態情報に対応する。また、廃棄物情報管理テーブル１０１の「証明」の項目は、証明情報や廃棄物情報画が適正な情報（改ざんや捏造されていない情報）であるか否かを示し、「判定」の項目は廃棄物の運搬処理が適正になされたか否か（廃棄物が運搬中に不法投棄等されていないか、廃棄物のすり替えがなされていないか等の判断結果）を示している。
【００５２】
なお、比較部３２内のスキャナ等が、状態情報（廃棄物の重量の測定値の画像）を取り込むとともに、取り込んだ画像から廃棄物の重量の測定値を抽出し、抽出した値を廃棄物情報管理テーブル１０１の「重量」として記憶させる。
【００５３】
また、廃棄物の運搬処理が複数ある場合は、運搬処理毎に廃棄物情報管理テーブル１０１を構成する。この場合、情報管理装置３０は、記憶部３３の廃棄物情報管理テーブル１０１内において、廃棄物識別情報とともに運搬処理を識別する情報を記憶させる。
【００５４】
情報管理装置３０の解析部３４は、廃棄物情報取得装置１０から受信した証明情報が改ざんや捏造等されたものであるか否かを判断するために、証明装置２０に証明情報を送信（問合せ）する。証明装置２０は、情報管理装置３０からの問合せがあると、証明情報が証明情報が改ざんや捏造等されたものであるか否かを検証（判断）し、この検証結果を情報管理装置３０に送信する。
【００５５】
証明装置２０は、証明情報内の衛星画像に対応する日時（衛星画像が撮影された日時）を抽出し、この衛星画像が撮影された日時に関する情報を情報管理装置３０に送信する。証明装置２０は、衛星画像に対応する日時が存在しない場合に証明情報が改ざん等されたものであると判断する。
【００５６】
また、解析部３４は、廃棄物情報取得装置１０から受信した廃棄物情報が証明情報に対応する情報であるか否かに基づいて、廃棄物情報内の位置情報や日時情報が改ざん等されたものであるか否かを判断する（ステップＳ２６０）。解析部３４は、廃棄物情報や証明情報が改ざん等されたものであるか否かの検証結果を、廃棄物情報管理テーブル１０１の「証明」の項目に入力し記憶させる（ステップＳ２７０）。
【００５７】
情報管理装置３０の比較部３２は、廃棄物情報管理テーブル１０１内の廃棄物運搬前の廃棄物情報（「日時」、「位置」、「重量」、「証明」）、廃棄物運搬後の廃棄物情報（「日時」、「位置」、「重量」、「証明」）を比較し、廃棄物が適正に運搬されたか否かの判断を行う（ステップＳ２８０）。
【００５８】
具体的には、比較部３２は、まず廃棄物運搬前の「位置」と廃棄物運搬後の「位置」を比較する。そして、比較部３２は、これらの「位置」が廃棄物の運搬業者が依頼された廃棄物の運搬位置に対応するか否かを判断する。情報管理装置３０は、運搬業者が依頼された廃棄物の運搬位置に関する情報を、予め廃棄物情報取得装置１０や問合せ端末４０から取得しておく。そして、情報管理装置３０は取得した廃棄物の運搬位置に関する情報を廃棄物識別子情報と対応付けて記憶しておく。
【００５９】
比較部３２は、廃棄物運搬前の「位置」と廃棄物運搬後の「位置」が廃棄物の運搬業者が依頼された廃棄物の運搬位置に対応しない場合、廃棄物の運搬処理が適正に行われていないと判断する。一方、比較部３２は、廃棄物運搬前の「位置」と廃棄物運搬後の「位置」が廃棄物の運搬業者が依頼された廃棄物の運搬位置に対応する場合、廃棄物の運搬処理が適正に行われていると判断する。
【００６０】
比較部３２は、次に廃棄物運搬前の「日時」と廃棄物運搬後の「日時」を比較する。そして、比較部３２は、これらの「日時」に基づいて、廃棄物運搬前の「位置」と廃棄物運搬後の「位置」に応じた所定の時間内に行われているか否かを判断する。
【００６１】
すなわち、比較部３２は、廃棄物運搬前の「位置」と廃棄物運搬後の「位置」から廃棄物の運搬距離を算出する。また、比較部３２は、廃棄物運搬前の「日時」と廃棄物運搬後の「日時」から廃棄物の運搬時間を算出する。そして、比較部３２は、算出した運搬時間が算出した運搬距離に応じた所定の時間内であるか否かを判断する。具体的には、例えば比較部３２に、予め廃棄物の運搬距離が１０ｋｍの場合は、２時間以内の運搬時間が適正な運搬時間であることを設定しておく。これにより、予め設定しておいた運搬距離に対応する運搬時間内に廃棄物の運搬が完了していない場合に、比較部３２は廃棄物の運搬処理が適正に行われていないと判断する。一方、予め設定しておいた運搬距離に対応する運搬時間内に廃棄物の運搬が完了してる場合に、比較部３２は廃棄物の運搬処理が適正に行われていると判断する。
【００６２】
なお、廃棄物の運搬距離に対応する運搬時間は、都市部や地方等の地理的な影響を考慮して設定してもよい。さらに、廃棄物の運搬距離に対応する運搬時間は、深夜や日中等の時間帯等を考慮して設定してもよい。さらに、廃棄物の運搬距離に対応する運搬時間は、運搬車両等の大きさや運搬車両に荷積みする廃棄物の量に応じて設定してもよい。
【００６３】
比較部３２は、次に廃棄物運搬前の「重量」と廃棄物運搬後の「重量」を比較する。そして、比較部３２は、これらの「重量」が廃棄物の運搬前と廃棄物運搬後で変化しているか否か（測定値の誤差範囲内であるか否か）を判断する。比較部３２は、廃棄物運搬前の「重量」と廃棄物運搬後の「重量」に変化があった場合に、廃棄物の運搬処理が適正に行われていないと判断する。一方、比較部３２は、廃棄物運搬前の「重量」と廃棄物運搬後の「重量」に変化がない場合に、廃棄物の運搬処理が適正に行われていると判断する。
【００６４】
比較部３２は、次に廃棄物運搬前の「証明」と廃棄物運搬後の「証明」を確認する。比較部３２は、これらの「証明」が改ざんや捏造等を示す情報の場合、廃棄物の運搬処理が適正に行われていないと判断する。一方、比較部３２は、「証明」が改ざんや捏造等を示す情報でない場合、廃棄物の運搬処理が適正に行われていると判断する。
【００６５】
比較部３２は、廃棄物の運搬処理が適正に行われているか否かの判断結果を廃棄物情報管理テーブル１０１の「判定」の項目に入力し記憶させる（ステップＳ２９０）。比較部３２が、廃棄物の運搬処理が適正に行われていないと判断した場合、情報管理装置３０から廃棄物情報取得装置１０や問合わ端末４０に、警告に関する情報を送信することとしてもよい。
【００６６】
この後、排出事業者は、問合せ端末４０によって情報管理装置３０に廃棄物の運搬処理が適正に行われているか否かを問い合わせる（ステップＳ３００）。この時、問合せ端末４０は、廃棄物の運搬処理が適正に行われているか否かを確認したい廃棄物の廃棄物識別情報を情報管理装置３０に送信する。
【００６７】
情報管理装置３０は、問合せ端末４０からの廃棄物識別情報に対応する、廃棄物の運搬処理に関する情報（廃棄物情報管理テーブル１０１）を問合せ端末４０に送信する。排出事業者は、廃棄物情報管理テーブル１０１内の「判定」に基づいて、廃棄物の運搬処理が適正に行われているか否かの確認を行うことが可能となる。
【００６８】
また、排出事業者は、廃棄物情報管理テーブル１０１内の「画像」に基づいて、廃棄物の運搬処理が適正に行われているか否かの判断を行うことが可能となる。また、排出事業者が、廃棄物情報管理テーブル１０１に基づいて、廃棄物の運搬処理が適正に行われているか否かの判断を行ってもよい。
【００６９】
なお、本実施の形態においては、廃棄物情報取得装置１０が廃棄物の状態の一例として廃棄物の画像を撮像することとしたが、廃棄物情報取得装置１０が廃棄物の映像を撮像することとしてもよい。
【００７０】
なお、本実施の形態においては、証明装置２０が廃棄物情報取得装置１０に証明情報を送信し、廃棄物情報取得装置１０から情報管理装置３０に証明情報、廃棄物情報、廃棄物識別情報を送信する構成としたが、廃棄物情報取得装置１０から証明装置２０に廃棄物情報、廃棄物識別情報を送信し、証明装置２０から情報管理装置３０に証明情報、廃棄物情報、廃棄物識別情報を送信する構成としてもよい。
【００７１】
また、本実施の形態においては、廃棄物情報取得装置１０の重量測定部１４が廃棄物の運搬前と運搬後に、廃棄物の重量を測定することとしたが、重量測定部１４が廃棄物運搬中の重量を測定（複数回の測定や連続的な測定）し、この測定結果をログとして記憶部１５に記憶させてもよい。
【００７２】
この記憶部１５内の測定結果のログは、通信手段によって情報管理装置３０に送信してもよいし、廃棄物情報取得装置１０にパーソナルコンピュータ等を接続してパーソナルコンピュータに送信することとしてもよい。記憶部１５内の測定結果のログをパーソナルコンピュータに送信する場合、情報管理装置３０はパーソナルコンピュータから測定結果のログを取得する。また、記憶部１５内の測定結果のログをメモリカードやフレキシブルディスク等の着脱可能な記録手段を介して情報管理装置３０に入力させてもよい。
【００７３】
これにより、情報管理装置３０は、記憶部１５内に記憶した重量測定の測定結果のログに基づいて、廃棄物の運搬処理が適正に行われているか否かを判断することが可能となる。
【００７４】
また、本実施の形態においては、廃棄物情報取得装置１０の状態情報に対して、証明装置２０が証明情報を生成することとしたが、情報管理装置３０が廃棄物情報取得装置１０から取得する廃棄物情報、証明情報、廃棄物識別情報、廃棄物の運搬処理が適正に行われているか否かの判断結果に対して証明装置２０が証明情報をさらに生成することとしてもよい。
【００７５】
この場合、情報管理装置３０が廃棄物情報取得装置１０から廃棄物情報、証明情報、廃棄物識別情報を受信した際に、情報管理装置３０が受信した廃棄物情報、証明情報、廃棄物識別情報を証明装置２０に送信し、証明装置２０からこれらの情報に対応する証明情報（廃棄物情報、証明情報、廃棄物識別情報を受信した日時に関する情報）を取得する。また、情報管理装置３０は、廃棄物の運搬処理が適正に行われているか否かの判断結果を証明装置２０に送信し、証明装置２０からこの判断結果に対応する証明情報（判断結果を出した日時に関する情報）を取得する。これにより、問合せ端末４０は、情報管理装置３０が証明装置２０から取得した証明情報に基づいて、情報管理装置３０が生成した廃棄物の運搬処理が適正に行われているか否かの判断結果が適正なものであるか否かを判断することが可能となる。したがって、情報管理装置３０の使用者（情報管理の運営者）によるデータの改ざん等を防止することが可能となる。
【００７６】
また、本実施の形態においては、状態情報を生成するために、廃棄物の重量測定や廃棄物の画像を撮像することとしたが、状態情報はこれらに限られるものではない。すなわち、廃棄物にＲＦＩＤ（Radio Frequency IDentification）等を付加しておき、このＲＦＩＤに廃棄物に関する情報（例えば、廃棄物の内容を示す情報）を入力しておく。そして、このＲＦＩＤ内に記憶する情報を状態情報として廃棄物情報を生成し、証明情報を取得してもよい。
【００７７】
また、本実施の形態においては、撮像部１３が、重量測定部１４が表示する廃棄物の重量の測定値を撮像し、撮像した画像を状態情報としたが、重量測定部１４が測定した測定結果（データ）を状態情報としてもよい。この場合、重量測定部１４が測定した測定結果を位置情報、日時情報と結合し、この結合した情報を廃棄物情報とする。なお、本実施の形態においては、廃棄物情報管理システム１が廃棄物情報を管理することとしたが、廃棄物情報管理システム１が廃棄物以外の運搬物を管理する構成としてもよい。
【００７８】
このように、実施の形態によれば、廃棄物情報は、第三者機関である証明装置２０によって位置、日時、状態が証明されるので、情報管理装置３０は簡易な構成で信頼性の高い廃棄物情報を管理することが可能となる。また、証明装置２０は気象衛星画像を用いて廃棄物情報に対応する証明情報を生成するので、廃棄物情報の改ざんや捏造が困難となり、廃棄物情報の改ざんや捏造を減少させることが可能となる。したがって、廃棄物情報の信頼性を向上させることが可能となる。
【００７９】
また、位置、日時、状態が証明された廃棄物情報に基づいて、廃棄物の運搬に関する情報を管理することが可能となるので、廃棄物を運搬する際の廃棄物の不法投棄等を抑制させることが可能となる。
【００８０】
また、廃棄物の不法投棄等の疑義が生じた場合であっても、記憶しておいた位置、日時、状態が証明された廃棄物情報に基づいて、不法投棄等の有無を客観的に立証することが可能となる。また、問合せ端末４０は、インターネット等を介して容易に廃棄物の運搬に関する情報を取得することが可能となる。
【産業上の利用可能性】
【００８１】
以上のように、本発明にかかる情報管理システムおよび情報管理装置は、運搬物の運搬履歴の管理に適している。
【図面の簡単な説明】
【００８２】
【図１】実施の形態にかかる廃棄物情報管理システムの構成を示す図である。
【図２】廃棄物情報取得装置の構成を示すブロック図である。
【図３】情報管理装置の構成を示すブロック図である。
【図４】廃棄物情報管理システムの処理手順を示すフローチャートである。
【図５】廃棄物情報管理テーブルの構成の一例を示す図である。
【符号の説明】
【００８３】
１  廃棄物情報管理システム
１０  廃棄物情報取得装置
１１，２１  通信Ｉ／Ｆ部
１２  位置情報取得部
１３  撮像部
１４  重量測定部
１５，３３  記憶部
１６  廃棄物情報生成部
１７  日時測定部
１９，３９  制御部
２０  証明装置
３０  情報管理装置
３２  比較部
３４  解析部
４０  問合せ端末
１０１  廃棄物情報管理テーブル
【図１】
2007148790.tif 000003
【図２】
2007148790.tif 000004
【図３】
2007148790.tif 000005
【図４】
2007148790.tif 000006
【図５】
2007148790.tif 000007